(57)【要約】【課題】  従来は箱の封止は人手による作業であり、作業効率が悪く、作業者の労働負担も大きく、コスト高の要因にもなった。【解決手段】  本件発明の箱類の合わせ目封止装置は、箱類を送り出し可能な搬送体と接着テープとを備え、箱類の送り出し中にテープを箱類の合わせ目に貼付して箱を封止するものである。搬送体は、上方と下方とに備えることもできる。接着テープを箱類側に押すテープ押し具と、箱類を接着テープ側に押す箱類押し具のいずれか一方又は双方を備えた。また、箱類が折り曲げ式箱として、箱類押し具を、搬送中の箱類の上面を押す上面押し具と下面押し具と側面押し具とを備えるものとすることもできる。更に、テープ押し具が前記側面押し具よりも箱類送り方向手前側に配置させ、前記側面に接着したテープが箱の側面に押し付けられると共にその側面と合わされてコーナーを形成する上面又は下面に接着してコーナーの合わせ目が封止されるようにした。【選択図】  図１
2007099352.tif 000002
【特許請求の範囲】
【請求項１】
箱類の合わせ目に接着テープを貼り付けて合わせ目を封止する箱類の合わせ目封止装置であって、箱類を送り出す搬送体と、搬送体により送り出される箱類の前記合わせ目に接着する接着テープを備え、接着テープは搬送体の上に接着面を箱類側に向けて前記合わせ目に対応する位置に配置されて、搬送体の上に箱類を送り込むと箱類の合わせ目へ自動的に接着し、接着後は箱類の送り込みに伴って自動的に引き出されて合わせ目に沿って連続して接着され、当該合わせ目を接着テープで封止できることを特徴とする箱類の合わせ目封止装置。
【請求項２】
請求項１記載の箱類の合わせ目封止装置において、搬送体が下方搬送体と上方搬送体を備え、両搬送体は上下に間隔をあけて配置され、下方搬送体は箱類の下面に接触して、上方搬送体は箱類の上面に接触し、接着テープは箱類の下面の合わせ目に接着する下方接着テープと上面の合わせ目に接着する上方接着テープとを備えて、箱類の送り出し中にその箱類の下面の合わせ目と上面の合わせ目を接着テープで封止することができることを特徴とする箱類の合わせ目封止装置。
【請求項３】
請求項１又は請求項２記載の箱類の合わせ目封止装置において、接着テープを箱類側に押すテープ押し具と、箱類を接着テープ側に押す箱類押し具のいずれか一方又は双方を備え、テープ押し具は箱類に接着されたテープ側に、箱類押し具は箱類を挟んでテープ押し具と反対側に配置されたことを特徴とする箱類の合わせ目封止装置。
【請求項４】
請求項１乃至請求項３のいずれかに記載の箱類の合わせ目封止装置において、箱類が折り曲げ式箱であり、箱類押し具が、搬送体上を送り出される折り曲げ式箱の上面を押す上面押し具と下面を押す下面押し具のいずれか一方又は双方と、折り曲げ式箱の側面を内側に押す側面押し具とを備えたことを特徴とする箱類の合わせ目封止装置。
【請求項５】
請求項１乃至請求項４のいずれかに記載の箱類の合わせ目封止装置において、箱類が折り曲げ式箱であり、テープ押し具が前記側面押し具よりも箱類送り方向手前側に配置されて、前記側面に接着した接着テープがテープ押し具により折り曲げ式箱の側面に押し付けられると共にその側面と合わされて箱類のコーナーを形成する箱類の上面又は下面側に接着されて、当該箱類のコーナーの合わせ目が封止されるようにしたことを特徴とする箱類の合わせ目封止装置。
【発明の詳細な説明】
【技術分野】
【０００１】
本発明は、物品の収容、梱包用の折り曲げ式の段ボール箱、化粧箱、本体に蓋が脱着或は開閉可能な容器といった各種箱や容器（以下、これらを「箱類」という。）の合わせ目にテープを貼付けて封止する合わせ目封止装置に関し、箱類を搬送体に送り込むだけで自動的に接着テープが箱類の合わせ目に貼り付けられて、合わせ目を封止できるようにしたものである。
【背景技術】
【０００２】
折り目が付いている平板状のダンボールやボール紙等を折り曲げて段ボール箱や化粧箱を組み立てる場合、折り曲げた合わせ目に接着テープを貼って合わせ目を封止する際には、従来は、ロール状に巻かれている布製の粘着テープ、紙製の粘着テープ、セロファン粘着テープ等の各種接着テープを作業者が適当な長さに引き出して、合わせ目に貼ってから手で押し付けて封止していた。
【発明の開示】
【発明が解決しようとする課題】
【０００３】
従来の合わせ目封止方法は人手による作業であるため以下のような課題があった。
（１）作業効率が悪く、人件費がかかり、コスト高の一因となっていた。
（２）箱が大きい場合や、貼付け個所が多い場合は、作業者の労力負担が大きい。
（３）折り目が付いている段ボールを折り曲げて箱に組み立てる折り曲げ組み立て式箱の場合は、折り曲げ部分が戻らないように手で押さえながら接着テープを貼付けなければならず、接着テープ貼付け作業が大変であった。
（４）折り曲げ式箱が大きい場合は、テープ貼り付けが二人掛りとなる場合があり、益々人件費が嵩む。
（５）接着テープを目検討で合わせ目に貼っているため、接着テープが曲がって貼られたり、接着テープに皺が寄ったりして体裁良く貼れないことがある。
【課題を解決するための手段】
【０００４】
本発明の合わせ目封止装置は箱類をローラコンベア等の搬送体の上に作業者が送り込むだけで、接着テープが自動的に箱類の合わせ目に貼られて合わせ目を封止できるようにしたものである。
【０００５】
本件発明の箱類の合わせ目封止装置は、請求項１記載のように、箱類を送り出す搬送体と、搬送体により送り出される箱類の前記合わせ目に接着する接着テープを備え、接着テープは搬送体の上に接着面を箱類側に向けて前記合わせ目に対応する位置に配置されて、搬送体の上に箱類を送り込むと箱類の合わせ目へ自動的に接着し、接着後は箱類の送り込みに伴って自動的に引き出されて合わせ目に沿って連続して接着され、当該合わせ目を接着テープで封止できるようにしたものである。
【０００６】
本件発明の箱類の合わせ目封止装置は、請求項２記載のように、前記箱類の合わせ目封止装置において、搬送体が下方搬送体と上方搬送体を備え、両搬送体は上下に間隔をあけて配置され、下方搬送体は箱類の下面に接触して、上方搬送体は箱類の上面に接触し、接着テープは箱類の下面の合わせ目に接着する下方接着テープと上面の合わせ目に接着する上方接着テープとを備えて、箱類の送り出し中にその箱類の下面の合わせ目と上面の合わせ目を接着テープで封止するようにしたものである。
【０００７】
本件発明の箱類の合わせ目封止装置は、請求項３記載のように、前記箱類の合わせ目封止装置に、接着テープを箱類側に押すテープ押し具と、箱類を接着テープ側に押す箱類押し具のいずれか一方又は双方を設け、テープ押し具は箱類に接着されたテープ側に、箱類押し具は箱類を挟んでテープ押し具と反対側に配置したものである。
【０００８】
本件発明の箱類の合わせ目封止装置は、請求項４記載のように、前記箱類の合わせ目封止装置において、箱類が折り曲げ式箱の場合に、箱類押し具として、搬送体上を送り出される折り曲げ式箱の上面を押す上面押し具と下面を押す下面押し具のいずれか一方又は双方と、折り曲げ式箱の側面を内側に押す側面押し具とを設けたものである。
【０００９】
本件発明の箱類の合わせ目封止装置は、請求項５記載のように、前記箱類の合わせ目封止装置において、箱類が折り曲げ式箱の場合に、テープ押し具を前記側面押し具よりも箱類送り方向手前側に配置して、前記側面に接着した接着テープがテープ押し具により折り曲げ式箱の側面に押し付けられると共にその側面と合わされて箱類のコーナーを形成する箱類の上面又は下面に接着されて、当該箱類のコーナーの合わせ目を封止できるようにしたものである。
【発明の効果】
【００１０】
本件出願の請求項１記載の箱類の合わせ目封止装置は次のような効果がある。
（１）箱類を搬送体に送り込むだけで自動的に箱類の合わせ目に接着テープが連続して貼られて合わせ目が封止されるので、テープ貼り作業が自動化され、作業効率が向上し、コスト減にも資する。また、接着テープが曲がったり、接着テープに皺が寄ったりしないため、封止部の体裁も良い。
（２）箱類が大きい場合でも、作業者は箱類を搬送体に送り込み、封止の完了した箱類を搬送体から取り出すだけであるため作業負担が軽減される。
【００１１】
本件出願の請求項２記載の箱類の合わせ目封止装置は、上方搬送体と下方搬送体を備えるので、箱類を上方搬送体と下方搬送体の間に送り込むだけで、箱類の上下両面の合わせ目に同時にテープを貼り付けることができ、作業負担が更に軽減される。また、封止できる箱類の形状のバリエーションも多くなる。
【００１２】
本件出願の請求項３記載の箱類の合わせ目封止装置は、テープ押し具、箱類押し具があるため、接着テープの貼り付けが確実になる。
【００１３】
本件出願の請求項４記載の箱類の合わせ目封止装置は、箱類が折り曲げ式箱の場合に、箱類押し具として、搬送体上を送り出される折り曲げ式箱の上面を押す上面押し具と下面を押す下面押し具のいずれか一方又は双方と、折り曲げ式箱の側面を内側に押す側面押し具とを設けたので、箱類の側面と上面又は下面で形成されるコーナーの合わせ目が互いに接近し、その合わせ目に接着テープが接着し易くなる。
【００１４】
本件発明の請求項５記載の箱類の合わせ目封止装置は、箱類が折り曲げ式箱の場合に、テープ押し具を前記側面押し具よりも箱類送り方向手前側に配置して、前記側面に接着した接着テープがテープ押し具により折り曲げ式箱の側面に押し付けられると共にその側面と合わされて箱類のコーナーを形成する箱類の上面又は下面に接着されて、当該箱類のコーナーの合わせ目を封止できるようにしたので、手作業でも貼りにくいコーナーに接着テープを容易且つ確実に貼ることができる。
【発明を実施するための最良の形態】
【００１５】
（実施形態１）
本発明の箱類の合わせ目封止装置の実施形態の一例を、図面を参照して説明する。この合わせ目封止装置は、図５、図１０に示すような、箱の上面が両開きの蓋になっており、面の中央部に合わせ目２（以下「中央合わせ目２」とする。）が備えられた折り曲げ式の段ボール箱１（以下「箱１」とする。）の中央合わせ目２及びその側方のコーナーの合わせ目３（以下「側方合わせ目３」とする。）に接着テープ４を貼付して箱１を封止するための装置である。本実施形態の箱類の合わせ目封止装置５は、図１に示すように、箱１の上面の中央部に備えられた中央合わせ目２に接着テープ４を貼付するための中央封止装置６と、箱１の側方のコーナーに備えられた側方合わせ目３に接着テープ４を貼付するための側方封止装置７とを備えてなる。中央封止装置６と側方封止装置７とは連続して設置され、箱１の中央合わせ目２への接着テープ４の貼付と、箱１の側方合わせ目３への貼付とを一連に行うことができるようにしてある。中央封止装置６と側方封止装置７とは、別個に備えることもできる。
【００１６】
前記中央封止装置６は、図２〜図４に示すように、箱１の中央部を載せて箱１を搬送（送り出し）可能な搬送体１０と、接着テープ４を巻き回してなるロール１１と、搬送中の箱１の両側面を抑える側面押し具１２と、搬送中の箱１の上面を上方から押し下げて箱１の上下面を抑える上面押し具１３と、前記搬送体１０、テープのロール１１、側面押し具１２を固定支持する台１４と、上面押し具１３を固定支持する枠体１５とを備えてなる。
【００１７】
前記中央封止装置６の搬送体１０は、図２、図３に示すように、ローラ１６を複数本並べて枠９に取り付けて形成したものである。中央封止装置６においては、搬送体１０は一本のみ設けられている。搬送体１０の各ローラ１６は回転自在に取り付けられている。そのため、箱１を搬送体１０上に載せて箱１を押すと、押した方向へ箱１が移動するようにしてある。本実施形態では、箱１は、中央合わせ目２側の面を下側に向けて、箱１の長手方向側を搬送方向に向けて搬送体１０に乗せて、図中矢印方向へ移動させる。搬送体１０は、図３、図４に示すように、板状の台１４の上に固定されて備えられている。台１４は、脚１７によって所定の高さに支持されている。ここで搬送体１０は、図に示すような、複数本のローラ１６を並べて枠９に取り付け、載せたものを手で押して動かすものには限られず、各ローラ１６をモータ等の駆動源によって回転させて、搬送体１０上へ載せた箱１を自動的に搬送できるもの等、任意の搬送体を用いることができる。
【００１８】
本実施形態の搬送体１０においては、図２に示すように、ローラ１６のうち、枠体１５の入口部分から搬送方向先方の二本のローラを、表面に凹凸を形成した樹脂製のシートを巻付けた凹凸付ローラ１８としてある。この凹凸付ローラ１８によって、箱１に傷がついたり、接着テープ４が搬送体１０上でスリップしたりすることを防ぐことができる。
【００１９】
前記接着テープ４のロール１１は、図３に示すように、箱１の中央合わせ目２に貼付する接着テープ４を巻き回したものである。本実施形態の接着テープ４は、片面を接着面とする粘着テープであって、布製の接着テープ、紙製の接着テープ、セロファン製の接着テープ等、任意の素材製のものとすることができる。ロール１１は、図３、図４に示すように、前記台１４の下方に備えられ、接着テープ４を巻き出し可能（回動可能）としてある。ロール１１から巻き出した接着テープ４は、接着面を上にして、前記凹凸付ローラ１８から、箱１の進行方向先方に向かって、搬送体１０のローラ１６上に配置されるようにしてある。接着テープ４の配置位置は、中央合わせ目２を下側にして搬送体１０上に置かれた箱１を送り出した際に、中央合わせ目２が接着テープ４の接着面上を通過する位置としてある。従って、箱１の中央合わせ目２を下側に向けて、箱１を搬送体１０上で送り出すと、ローラ１６上に配置された接着テープ４が中央合わせ目２に貼付され、中央合わせ目２を封止することができる（図５参照。）。
【００２０】
前記側面押し具１２は、図２〜図４に示すように、搬送体１０の左右両側に夫々四本ずつ、搬送体１０の各ローラ１６と鉛直に立てた状態で回転可能に備えられたローラ部材であって、搬送体１０上を送り出される箱１の側面を抑えるものである。側面押し具１２は、図４に示すように、前記台１４の上に固定具１９によって回動可能に固定されているローラ部材である。左右の側面押し具１２同士の間隔は、箱１が通過できる程度の間隔としてあり、搬送体１０方向に付勢してある。左右の側面押し具１２は、図２、図３に示すように、ロール１１から巻き出された接着テープ４が搬送体上に配置される始点である前記凹凸付ローラ１８の側方から、箱１の搬送方向先方に向けて四本備えられている。従って、側面押し具１２は、図４に示すように、箱１が搬送体１０上を送り出されて、ローラ１６上に配置された接着テープ４が中央合わせ目２に貼付される際に、箱１の側面を抑えて箱１の形状を整えることができる。側面押し具１２は、図に示すローラ部材には限られず、送られてくる箱１の形状、大きさに応じて任意の形状、大きさのものを用いることができる。
【００２１】
前記上面押し具１３は、図２〜図４に示すように、搬送体１０の上方に、搬送体１０の搬送方向に二個連続して、前記枠体１５に取り付けられており、搬送体１０上を送り出される箱１の上面を押し下げて、箱１を上面押し具１３と搬送体１０とによって上下面から抑えるものである。上面押し具１３は、図４に示すように、折りたたみ式の押し具であって、交差させた二本のアーム２０と、そのアーム２０の下端に取り付けられた押圧部２１と、その上端に取り付けられたアーム係止板２２と、そのアーム係止板２２の上面に備えられた緩衝材２３とを組合せてなる。交差させた二本のアーム２０は、図３に示すように、押圧部２１の前後に二組備えられている。前記枠体１５は、図４に示すように、二枚の側板２４と一枚の上板２５とを組合せて、コ字型に形成され、搬送体１０を覆うように台１４上に取り付けられたものである。上面押し具１３は、緩衝材２３を上板２５の裏面に固定して、枠体１５に取り付けられている。上面押し具１３は、二本のアーム２０の交差角度を変化させながら、押圧部２１を上下動させることができる。また、上面押し具１３は、通常時には自重によって押圧部２１を下方に下ろした状態となり、箱１が搬送されると、その箱１によって押圧部２１が押し上げられるようにしてある。そのとき箱１によって持ち上げられた押圧部２１は、自重によって箱１の上面部を下方に向けて押圧する。上面押し具１３は、図４に示すように、調節ネジ２６を備えており、押圧部２１の押圧力を調節することもできる。この上面押し具１３は、図２、図３に示すように、ロール１１から巻き出された接着テープ４が搬送体上に配置される始点である前記凹凸付ローラ１８の上方から、箱１の搬送方向に二個備えられており、中央合わせ目２に接着テープ４を貼付中の箱１の前後を押すことができるようにしてある。従って、上面押し具１３は、図４に示すように、箱１が搬送体１０上を搬送されて、ローラ１６上に配置された接着テープ４が中央合わせ目２に貼付される際に、押圧部２１と搬送体１０とによって箱１の上下面を抑えて、箱１の形状を整えることができる。上面押し具１３は、図に示すものには限られず、搬送されてくる箱１の形状、大きさに応じて任意の形状、大きさのものを用いることができる。
【００２２】
上記構成の中央封止装置６の搬送体１０に、箱１の中央合わせ目２を下側にして、中央合わせ目２の長手方向を箱１の搬送方向と同じ向きにして載せて、箱１を押して搬送体１０上を搬送させると、図５に示すように、中央合わせ目２に接着テープ４が貼付され、中央合わせ目２が封止される。
【００２３】
この中央封止装置６においては、左右の側面押し具１２同士の間隔、及び、搬送体１０と上面押し具１３の間隔を、送り込む箱１の幅及び高さに応じて任意の方法で調節可能としてある。
【００２４】
前記側方封止装置７は、本実施形態では、図１に示すように、前記中央封止装置６の箱搬送方向終端側の、中央封止装置６と９０度の位置に備えられている。側方封止装置７は、図６〜図９に示すように、箱１の長手方向両端部を載せて送り出し可能な左右二本の搬送体１０と、接着テープ４を巻き回してなるロール１１と、左右の搬送体１０のローラ１６上に配置された接着テープ４の幅方向外側を斜めに起こすテープ起こしローラ３０と、前記テープ起こしローラ３０で起こした接着テープ４の幅方向外側を垂直に立てて箱１に貼り付けられるように立てるテープ立てローラ３１と、前記テープ立てローラ３１で立てた接着テープ４の幅方向外側を箱１の側部（コーナー）に押し付けて貼り付ける側面押し具３２と、搬送中の箱１の上面を上方から押し下げて箱１の上下面を抑える上面押し具１３と、前記搬送体１０、テープのロール１１、テープ起こしローラ３０、テープ立てローラ３１、側面押し具３２を固定支持する台１４と、上面押し具１３を固定支持する枠体１５とを備えてなる。
【００２５】
前記搬送体１０は、図６に示すように、前記中央封止装置６の搬送体１０と同様に、ローラ１６を複数本並べて枠９に取り付けて形成した搬送体である。側方封止装置７においては、搬送体１０は、左右二本設けられ、箱１の長手方向両端部を載せて送り出せるようにしてある。側方封止装置７においては、搬送体１０は、図６に示すように、箱１の中央合わせ目２側の面を下側に向けて、箱１の長手方向側を搬送方向と直交させて搬送体１０に載せて、図中矢印方向へ移動させる。搬送体１０は、図７、図９に示すように、板状の台１４の上に固定されて備えられている。台１４は、脚１７によって所定の高さに支持されている。台１４及び脚１７も、前記中央封止装置６のものと同様のものである。ここで搬送体１０は、図に示すような、複数本のローラ１６を並べて枠９に取り付け、載せたものを手で押して動かすものには限られず、各ローラ１６をモータ等の駆動源によって回転させて、搬送体１０上へ載せた箱１を自動的に搬送できるもの等、任意の搬送体を用いることができる。
【００２６】
側方封止装置７の左右の搬送体１０の搬送方向始端側には、図６に示すように、夫々位置合わせ板３３が設けられている。二枚の位置合わせ板３３は、搬送方向先方に向かって間隔が狭くなるように備えられており、箱の長手方向側が通る程度の間隔にまで狭められている。従って、搬送体１０に箱１の長手方向両端部を載せて搬送させると、箱１の長手方向両端部が位置合わせ板３３にガイドされて、側方合わせ目３が所定の位置に来るように位置合わせをされて搬送される。
【００２７】
また、側方封止装置７の搬送体１０も、図６に示すように、前記中央封止装置６と同様に、ローラ１６のうち、枠体１５の入口部分から搬送方向先方の二本のローラを、表面に凹凸を形成した樹脂製のシートを巻付けた、凹凸付ローラ１８としてある。凹凸付ローラ１８によって、箱１に傷がついたり、接着テープ４が搬送体１０上でスリップしたりすることを防ぐことができる。
【００２８】
前記接着テープ４のロール１１は、図７、図９に示すように、前記中央封止装置６と同様のものである。この側方封止装置７においては、図９に示すように、ロール１１が左右夫々の搬送体１０に一つずつ、合計二つ備えられている。側方封止装置７においても、ロール１１は、図６〜図９に示すように、前記台１４の下方に、接着テープ４を巻き出し可能（回動可能）なように備えられている。ロール１１から巻き出した接着テープ４は、接着面を上にして、前記凹凸付ローラ１８の上から、箱１の進行方向先方に向かって、搬送体１０のローラ１６上に配置されるようにしてある。接着テープ４の配置位置は、中央合わせ目２を下側にして搬送体１０上に置かれた箱１を送り出した際に、側方合わせ目３が接着テープ４の接着面上を通過する位置としてある。
【００２９】
前記テープ起こしローラ３０は、図８に示すように、搬送体１０のローラ１６のうち、前記凹凸付ローラ１８の搬送方向先方のローラ１６の外側端部分に、ローラ１６の外側端方向に向かって広がる傘型形状に成形された傘型部材３４を取り付けてなるものである。本実施形態では、傘型部材３４は樹脂製のものを使用しているが、傘型部材３４には、任意の素材製のものを用いることができる。テープ起こしローラ３０は、図に示すように、傘型部材３４の取り付けによって、外側端部分が斜め上方へ持ち上がるようにしてある。従って、テープ起こしローラ３０は、ロール１６から巻き出されて左右の凹凸ローラ１８上に配置された接着テープ４の幅方向外側を斜めに起こすことができる。
【００３０】
前記テープ立てローラ３１は、図８に示すように、前記テープ起こしローラ３０の搬送方向先方の、搬送体１０の外側方に、立てた状態で回動自在に設けられたローラ部材である。本実施形態では、テープ立てローラ３１は樹脂製のものを使用しているが、テープ立てローラ３１には、任意の素材製のものを用いることができる。テープ立てローラ３１は、図８に示すように、取り付け板３５と軸３６とによって、台１４の搬送体１０の外側方部分に固定されている。テープ立てローラ３１は、ロール１６に対して斜めになるように取り付けられている。もっとも、テープ立てローラ３１は、ロール１６に対して鉛直に取り付けることもできる。テープ立てローラ３１は、前記テープ起こしローラ３０で起こした接着テープ４の幅方向外側をほぼ垂直に立てて、接着テープ４を折り曲げて箱１の中央合わせ目２の両側方の側方合わせ目３に貼り付けられるようにすることができる。従って、箱１の中央合わせ目２の両側方の側方合わせ目３を下側に向けて、箱１を送りだすと、搬送体１０のローラ１６、テープ起こしローラ３０、テープ立てローラ３１によって、幅方向外側を立てられた接着テープ４が中央合わせ目２の両側方の側方合わせ目３に貼付できるようになる。
【００３１】
前記側面押し具３２は、図８に示すように、前記テープ立てローラ３１の搬送方向先方に、搬送される箱１の両側面を抑えられるように、搬送体１０の各ローラ１６と鉛直に立てた状態で回転可能に備えられたローラ部材である。この側方封止装置７の側面押し具３２は、図６に示すように、左右の搬送体１０に夫々一つずつ、合計二つ備えられている。本実施形態では、側面押し具３２は樹脂製のものを使用しているが、側面押し具３２には、任意の素材製のものを用いることができる。また、側方封止装置７の側面押し具３２の形状は、図に示すように平らなロール状としているが、側面押し具３２の形状はこれには限られず、搬送される箱１の形状、大きさに応じて任意の形状とすることができる。また、側面押し具３２は、搬送体１０の内側方向に付勢しておくこともできる。従って、側面押し具３２は、図６に示すように、箱１が搬送体１０上を送り出されて、ローラ１６上に配置され、幅方向外側を立てられた接着テープ４が側方合わせ目３に貼付される際に、箱１の両側面を抑えて箱１の形状を整えるとともに、箱１の側面に接着テープ４を押し付けて確実に貼り付けることができる。
【００３２】
前記上面押し具１３は、図６〜図９に示すように、前記中央封止装置６と同様のものである。この側方封止装置７では、上面押し具１３は、図６に示すように、左右の搬送体１０の上方に、搬送体１０の搬送方向に二個連続して、合計四個、前記枠体１５に取り付けられており、搬送体１０上を送り出される箱１の上面の両端部を押し下げて、箱１を上面押し具１３と搬送体１０とによって上下面から抑えるものである。
【００３３】
前記枠体１５も、図６〜図９に示すように、前記中央封止装置６と同じ構成のものである。この側方封止装置７においても、上面押し具１３は、緩衝材２３を上板２５の裏面に固定して、枠体１５に取り付けられている。また、枠体１５は、側板２４に代えて、金具の支柱のみを備えることもできる。この上面押し具１３は、図６、図７に示すように、ロール１１から巻き出された接着テープ４が左右の搬送体上に配置される始点である前記凹凸付ローラ１８の上方から、箱１の搬送方向に左右夫々二個、合計四個備えられており、中央合わせ目２の側方の側方合わせ目３に接着テープ４を貼付中の箱１の両端部を押すことができるようにしてある。従って、上面押し具１３は、図９に示すように、箱１が搬送体１０上を送り出されて、ローラ１６上に配置された接着テープ４が中央合わせ目２の側方の側方合わせ目３に貼付される際に、押圧部２１と搬送体１０とによって箱１の上下面を抑えて、箱１の形状を整えることができる。この側方封止装置７においても、上面押し具１３は、図に示すものには限られず、搬送されてくる箱１の形状、大きさに応じて任意の形状、大きさのものを用いることができる。
【００３４】
上記構成の側方封止装置７の左右の搬送体１０に、箱１の中央合わせ目２の両側方の側方合わせ目３を下側に向けて、側方合わせ目３の長手方向を箱１の搬送方向と同じ向きにして載せて、箱１を押して搬送体１０上を送り出すと、図１０に示すように、中央合わせ目２の両側方の側方合わせ目３に接着テープ４が貼付され、側方合わせ目３が封止される。即ち、箱１の側方コーナーが封止される。
【００３５】
この側方封止装置７においては、左右の搬送体１０（テープ立てローラ３１、側面押し具３２）同士の間隔、及び、搬送体１０と上面押し具１３の間隔を、送り込む箱１の幅及び高さに応じて任意の方法で調節可能としてある。
【００３６】
本実施形態の箱類の合わせ目封止装置５は、図１に示すように、側方封止装置７が、中央封止装置６の箱搬送方向終端側に、中央封止装置６と横に９０度になるように備えられているので、先に中央封止装置６の搬送体１０上に、箱１の長手方向側を搬送方向に合わせて箱１を載せ、箱１を送り出しながら中央合わせ目２に接着テープ４を貼付し（図５参照。）、搬送体１０の終端まで搬送したら、箱１を９０度スライドさせて、隣の側方封止装置７の搬送体１０上に、箱１の長手方向側を搬送方向に直交させて箱１を載せて、箱１を送り出して中央合わせ目２の両側方のコーナーの側方合わせ目３にも接着テープ４を貼付し（図１０参照。）、箱１を封止する。
【００３７】
もっとも、中央封止装置６の搬送体１０の終端部と、側方封止装置７の搬送体１０の始端部とを連結して、中央合わせ目２及び側方合わせ目３への接着テープ４の貼付を、搬送体１０上において連続して行うことができるようにすることもできる。
【００３８】
（実施形態２）
本発明の箱類の合わせ目封止装置の他の例について、図１１、図１２を用いて説明する。本実施形態の箱類の合わせ目封止装置は、上下面に中央合わせ目及び側方合わせ目を有する箱類の各合わせ目を封止することができる装置であって、箱類の上下面の合わせ目を同時に封止できるものである。本実施形態の箱類の合わせ目封止装置も、その基本的構成は前記実施形態１記載のものと共通する。前記実施形態１では、図３、図７に示すように、中央封止装置６、側方封止装置７共に、搬送体１０の上方には、上面押し具１３が設けられ、箱１を搬送体１０と上面押し具１３とによって上下面から抑えるようにしてあるが、本実施形態では、図１１、図１２に示すように、中央封止装置６、側方封止装置７共に、搬送体１０（以下、本実施形態においては「下方搬送体１０」とする。）の上方には、上方搬送体４０が箱１の上面に接触するように設けられ、更にその上方に接着テープ４（以下、本実施形態においては「上方接着テープ４ａ」とする。）のロール１１ａが設けられている点で前記実施形態１記載のものとは異なる。
【００３９】
前記上方搬送体４０は、中央封止装置６においては、一本の下方搬送体１０の上方に一本だけ設けられており、側方封止装置７においては、左右二本の各下方搬送体１０の上方に一本ずつ、合計二本設けられている。上方接着テープ４ａは上方搬送体４０の下側に接着面を箱１側に向けて、箱１の上面の合わせ目に対応する位置に配置され、箱１を下方搬送体１０と上方搬送体４０の間に送り込むと、箱１の上下両面の合わせ目に同時に接着テープ４を貼り付けることができるようにしてある。
【００４０】
前記上方搬送体４０は、図１１、図１２に示すように、下方搬送体１０上を送られる箱１の上面に接触しながら箱１を搬送方向へ送り出すものである。上方搬送体４０は、下方搬送体１０と同じ構成の搬送体であって、ローラ１６を複数本並べて枠９に取り付けて形成したものである。また、上方搬送体４０は、下方搬送体１０よりローラ１６の数を少なくして形成することもできる。また、前記上方搬送体４０においても、図１１、図１２に示すように、ローラ１６のうち、枠体１５の入口部分から搬送方向先方の二本のローラを、表面に凹凸を形成した樹脂製のシートを巻付けた凹凸付ローラ１８としてある。この凹凸付ローラ１８によって、箱１に傷がついたり、上方接着テープ４ａが上方搬送体４０の下側でスリップしたりすることを防ぐことができる。
【００４１】
本実施形態の中央封止装置６では、図１１に示すように、上方搬送体４０は、上板２５の裏面に固定して枠体１５に取り付けられている。前記のように、中央封止装置６においては、上方搬送体４０は一本の下方搬送体１０の上方に一本だけ設けられている。上方搬送体４０は、図に示すように、下方搬送体１０との間に箱１の高さ分の隙間が形成される高さに取り付けられている。また、中央封止装置６では、図１１に示すように、台１４の下方に備えられた接着テープ４（以下、本実施形態においては「下方接着テープ４ｂ」とする。）のロール１１ｂに加えて、枠体１５の上板２５に上方接着テープ４ａのロール１１ａが設けられている。本実施形態の接着テープ４ａ及びロール１１ａも、前記実施形態１記載のものと同様のものである。前記枠体１５上方に備えられたロール１１ａから巻き出した上方接着テープ４ａは、図に示すように、接着面を下にして、前記凹凸付ローラ１８から、箱１の進行方向先方に向かって、上方搬送体４０のローラ１６の下側に配置されるようにしてある。この上方接着テープ４ａの配置位置は、下方搬送体１０と上方搬送体４０との間で箱１を搬送した際に、箱上面の中央合わせ目２が上方接着テープ４ａの接着面の下を通過する位置としてある。また、台１４の下方のロール１１ｂから巻き出された下方接着テープ４ｂも、前記実施形態１と同様に下方搬送体１０上に、箱１側に接着面を向けて配置されている。従って、上下面に中央合わせ目２を有する箱１を下方搬送体１０と上方搬送体４０との間で搬送させると、上方搬送体４０に配置された上方接着テープ４ａが箱１上面の中央合わせ目２に、下方搬送体１０に配置された下方接着テープ４ｂが箱１下面の中央合わせ目２に夫々貼付され、箱１の上下両面の中央合わせ目２を同時に封止することができる。
【００４２】
この中央封止装置６においては、左右の側面押し具１２同士の間隔、及び、下方搬送体１０と上方搬送体４０の間隔を、送り込む箱１の幅及び高さに応じて任意の方法で調節可能としてある。
【００４３】
本実施形態の側方封止装置７では、図１２に示すように、上方搬送体４０は、上板２５の裏面に固定して枠体１５に取り付けられている。前記のように、側方封止装置７においては、上方搬送体４０は、左右二本の各下方搬送体１０の上方に一本ずつ、合計二本設けられている。上方搬送体４０は、図に示すように、下方搬送体１０との間に箱１の高さ分の隙間が形成される高さに取り付けられている。また、側方封止装置７では、図１２に示すように、上方搬送体４０にも、下方搬送体１０と同様にテープ起こしローラ３０、テープ立てローラ３１、側面押し具３２が設けられている。テープ起こしローラ３０、テープ立てローラ３１、側面押し具３２の構成及び作用効果は、前記実施形態１記載のものと同じである。また、側方封止装置７でも、図１２に示すように、台１４の下方に備えられた下方接着テープ４ｂのロール１１ｂに加えて、枠体１５の上板２５に上方接着テープ４ａのロール１１ａが設けられている。前記枠体１５上方に備えられたロール１１ａから巻き出した上方接着テープ４ａは、図に示すように、接着面を下にして、前記凹凸付ローラ１８から、箱１の進行方向先方に向かって、上方搬送体４０のローラ１６の下側に配置されるようにしてある。この上方接着テープ４ａの配置位置は、下方搬送体１０と上方搬送体４０との間で箱１を搬送した際に、箱上面の側方合わせ目３が接着テープ４の接着面の下を通過する位置としてある。また、台１４の下方のロール１１ｂから巻き出された下方接着テープ４も、前記実施形態１と同様に下方搬送体１０上に、箱１側に接着面を向けて配置されている。従って、上下面に側方合わせ目３を有する箱１を下方搬送体１０と上方搬送体４０との間で搬送させると、上方搬送体４０に配置された上方接着テープ４ａが箱１上面の側方合わせ目３に、下方搬送体１０に配置された下方接着テープ４ｂが箱１下面の側方合わせ目３に夫々貼付され、箱１の上下両面の側方合わせ目３を同時に封止することができる。
【００４４】
この側方封止装置７においては、左右の下方搬送体１０（テープ立てローラ３１、側面押し具３２）同士の間隔、及び、下方搬送体１０と上方搬送体４０の間隔を、送り込む箱１の幅及び高さに応じて任意の方法で調節可能としてある。
【００４５】
本実施形態の箱類の合わせ目封止装置の中央封止装置６及び側方封止装置７においては、台１４の下方の下方接着テープ４ｂのロール１１ｂと枠体１５の上方の上方接着テープ４ａのロール１１ａのうち、いずれか一方を省略して、箱１の上面の合わせ目のみ又は下面の合わせ目のみに接着テープ４を貼り付けられるようにすることもできる。
【００４６】
（実施形態３）
本発明の箱類の合わせ目封止装置の他の例について説明する。前記実施形態１では、側方封止装置７を、中央封止装置６の箱搬送方向終端側に、中央封止装置６と横に９０度になるように備え、中央封止装置６の搬送体１０の終端部から側方封止装置７の搬送体１０の始端部に向けて箱１をスライドさせていたが、中央封止装置６と側方封止装置７とを一本の搬送体上に備え、中央封止装置６と側方封止装置７の間の搬送体上に、箱１を９０度回転させて箱１の向きを変化させられる箱回転機構を備えることもできる。その場合、まず中央封止装置６によって箱１の中央合わせ目２に接着テープ４を貼付して中央合わせ目２を封止し、そのまま箱１を搬送体上で搬送させ、前記箱回転機構によって、箱１を９０度回転させて箱１の向きを９０度変化させ、側方封止装置７によって側方合わせ目３に接着テープ４を貼付して側方合わせ目３を封止することができる。
【００４７】
（実施形態４）
本発明の箱類の合わせ目封止装置のその他の例について説明する。前記各実施形態では、中央封止装置６、側方封止装置７の順で各装置が備えられているが、側方封止装置７、中央封止装置６の順で各装置を備えることももちろん可能である。
【００４８】
（その他の実施形態）
前記各実施形態の箱類の合わせ目封止装置は、図５、図１０に示すような、折り曲げ式の箱であって、箱１の上面が両開き型の蓋となっており、その中央が開口部となっている箱１の中央合わせ目２及びその側方の側方合わせ目３を封止するものであったが、箱の形状は図に示すものには限られず、任意とすることができる。従って、上面開口型の箱本体と、板状の蓋を有する箱等、任意の形状の箱の開口部、隙間等を封止することができる。また、箱は、折り曲げ式の段ボール箱には限られず、木製の箱、樹脂製の箱等、任意の素材製の箱とすることができる。
【産業上の利用可能性】
【００４９】
本発明の箱類の合わせ目封止装置５は、箱の封止のみには限られず、その他の容器の開口部や隙間等にテープを貼付して容器を封止する、容器封止装置として応用することもできる。
【図面の簡単な説明】
【００５０】
【図１】本発明の箱類の合わせ目封止装置の実施形態の一を示す平面説明図。
【図２】本発明の箱類の合わせ目封止装置の中央封止装置部分を示す平面説明図。
【図３】図２に示す中央封止装置を示す側面説明図。
【図４】図２に示す中央封止装置を示す正面説明図。
【図５】図２に示す中央封止装置によって中央合わせ目を封止された箱を示す斜視図。
【図６】本発明の箱類の合わせ目封止装置の側方封止装置部分を示す平面説明図。
【図７】図６に示す側方封止装置を示す側面説明図。
【図８】図６に示す側方封止装置の内部構造を示す部分斜視説明図。
【図９】図６に示す側方封止装置を示す正面説明図。
【図１０】図６に示す側方封止装置によって側方合わせ目を封止された箱を示す斜視図。
【図１１】本発明の箱類の合わせ目封止装置の他の実施形態における中央封止装置部分を示す側面説明図。
【図１２】本発明の箱類の合わせ目封止装置の他の実施形態における側方封止装置部分を示す側面説明図。
【符号の説明】
【００５１】
１  箱
２  中央合わせ目
３  側方合わせ目
４  接着テープ
５  箱類の合わせ目封止装置
６  中央封止装置
７  側方封止装置
９  枠
１０  搬送体
１１  ロール
１２  側面押し具
１３  上面押し具
１４  台
１５  枠体
１６  ローラ
１８  凹凸付ローラ
３０  テープ起こしローラ
３１  テープ立てローラ
３２  側面押し具
３３  位置合わせ板
【図１】
2007099352.tif 000003
【図２】
2007099352.tif 000004
【図３】
2007099352.tif 000005
【図４】
2007099352.tif 000006
【図５】
2007099352.tif 000007
【図６】
2007099352.tif 000008
【図７】
2007099352.tif 000009
【図８】
2007099352.tif 000010
【図９】
2007099352.tif 000011
【図１０】
2007099352.tif 000012
【図１１】
2007099352.tif 000013
【図１２】
2007099352.tif 000014